(57)【要約】【課題】  スイッチ部材を能率良く精密に位置決め固定すること。【解決手段】  スイッチ部材４が、複数のスイッチ部５を備えたスイッチ部材本体４ａと、該スイッチ部材本体４ａの中央からリアキャビネット３に向けて突出させた柱状部４ｂと、そのスイッチ部材本体４ａの両側縁から側方に突出させた一対のブラケット４ｃとを有し、該各ブラケット４ｃを支えるための一対の脚部１５がフロントキャビネット２に一体突設され、各脚部１５に対向してリアキャビネット３に一対の腕部２１が一体突設されており、スイッチ部材４の各ブラケット４ｃを各脚部１５上に載置し、リアキャビネット３をフロントキャビネット２に当接させ、各腕部２１及び各ブラケット４ｃを貫通して各脚部１５にビス１６をねじ込むことにより、フロントキャビネット２にスイッチ部材４及びリアキャビネット３が止着される。【選択図】        図１
2008281610.tif 000002
【特許請求の範囲】
【請求項１】
表示画面を囲むフロントキャビネットとリアキャビネットとの間に配置したスイッチ部
材が、複数のスイッチ部を備えたスイッチ部材本体と、該スイッチ部材本体の中央からリ
アキャビネットに向けて突出させた柱状部と、そのスイッチ部材本体の両側縁から側方に
突出させた一対のブラケットとを有し、該各ブラケットを支えるための一対の脚部がフロ
ントキャビネットに一体突設された薄型表示装置において、前記各脚部に対向してリアキ
ャビネットに一対の腕部が一体突設されており、スイッチ部材の各ブラケットを各脚部上
に載置し、リアキャビネットをフロントキャビネットに当接させ、各腕部及び各ブラケッ
トを貫通して各脚部にビスをねじ込むことにより、フロントキャビネットにスイッチ部材
及びリアキャビネットが止着されていることを特徴とする薄型表示装置。
【請求項２】
前記柱状部に対向してリアキャビネットにガイド筒が一体突設されると共に、該ガイド
筒の内周面に周方向所定間隔をおいて複数のリブが一体突設されており、リアキャビネッ
トをフロントキャビネットに当接させることにより、ガイド筒を柱状部に遊嵌合させ、そ
の柱状部の外周面に各リブを当接させるようにしたことを特徴とする請求項１に記載の薄
型表示装置。
【請求項３】
表示画面を囲むフロントキャビネットとリアキャビネットとの間に配置したスイッチ部
材が、複数のスイッチ部を備えたスイッチ部材本体と、該スイッチ部材本体の中央からリ
アキャビネットに向けて突出させた柱状部と、そのスイッチ部材本体の両側縁から側方に
突出させた一対のブラケットとを有し、該各ブラケットを支えるための一対の脚部がフロ
ントキャビネットに一体突設された薄型表示装置において、前記柱状部に対向してリアキ
ャビネットにガイド筒が一体突設されると共に、該ガイド筒の内周面に周方向所定間隔を
おいて複数のリブが一体突設され、前記各脚部に対向してリアキャビネットに一対の腕部
が一体突設されており、スイッチ部材の各ブラケットを各脚部上に載置し、リアキャビネ
ットをフロントパネルに当接させることにより、ガイド筒を柱状部に遊嵌合させ、その柱
状部の外周面に各リブを当接させ、前記各腕部及び各ブラケットを貫通して各脚部にビス
をねじ込むことにより、フロントキャビネットにスイッチ部材及びリアキャビネットが止
着されていることを特徴とする薄型表示装置。
【発明の詳細な説明】
【技術分野】
【０００１】
本発明は、例えば液晶テレビや液晶モニターなどの薄型表示装置に関し、特に、スイッ
チ部材を能率良く精密に位置決め固定することができるようにしたものである。
【背景技術】
【０００２】
図６は液晶テレビや液晶モニターなどの薄型表示装置を示す斜視図であって、表示画面
１を囲むフロントキャビネット２の上面とリアキャビネット３の上面との間に画面や電源
の操作を切り換えるためのスイッチ部材４が配置されている。
【０００３】
図７〜図１０は従来の薄型表示装置の要部を示すものであって、図７は同要部の平面図
、図８は図７のＤ−Ｄ矢視図、図９は図７のＥ−Ｅ矢視図、図１０は同要部の分解斜視図
である。
【０００４】
図７〜図１０に示すように、スイッチ部材４は、合成樹脂により成形されており、複数
のスイッチ部５を備えた台形状のスイッチ部材本体４ａと、該スイッチ部材本体４ａの中
央からリアキャビネット３に向けて突出させた中空円柱状の柱状部４ｂと、そのスイッチ
部材本体４ａの両側縁から側方に突出させた一対のブラケット４ｃとを有している。
【０００５】
図７及び図１０に示すように、リアキャビネット３のフロントキャビネット対向縁にス
イッチ部材本体４ａとほぼ同形で一回り大きい凹部３ａが形成されており、フロントキャ
ビネット２にリアキャビネット３を当接させることにより、その凹部３ａがスイッチ部材
本体４ａに嵌合される。
【０００６】
図７及び図８に示すように、前記各スイッチ部５は、スイッチ部材本体４ａに複数の略
コ字状スリット６を所定間隔をおいて形成することにより切り残した弾性変位可能な複数
（この例では７つ）の押圧片５ａを有し、該各押圧片５ａに対向してスイッチ部材本体４
ａの裏面にビス止めしたプリント配線基板７にタクトスイッチ８が固定されており、所定
の押圧片５ａを押してタクトスイッチ８を操作することにより、画面や電源を切り換える
ことができる。
【０００７】
図８に示すように、リアキャビネット３の外周部を折り曲げることによりフロントキャ
ビネット２とほぼ平行して対向する棚部３ｂが形成され、該棚部３ｂの前記柱状部４ｂに
対向する位置に形成した凹溝１０の底部にビス挿通孔１１が貫設されている。
【０００８】
図７及び図９に示すように、前記各ブラケット４ｃの中央にビス挿通孔１２が貫設され
、該ブラケット４ｃの両面にビス挿通孔１２を中心にして該ビス挿通孔１２よりも大径の
環状突起部１３，１４が一体突設され、その一方の環状突起部１４に先端を嵌入させて各
ブラケット４ｃを支えるための一対の有底筒状脚部１５がフロントキャビネット２に一体
突設されている。
【０００９】
組立手順を説明すると、図９に示すように、スイッチ部材４の両ブラケット４ｃを各脚
部１５上に載置し、該各ブラケット４ｃのビス挿通孔１２を通って各脚部１５の中空孔に
ビス１６をねじ込むことにより、該スイッチ部材４をフロントキャビネット２に固定する
。続いて、リアキャビネット３を把持して凹部３ａをスイッチ部材本体４ａに嵌合させる
ことにより、該リアキャビネット３をフロントキャビネット２に当接させ、図８に示すよ
うに、凹溝１０のビス挿通孔１１を通って柱状部４ｂの中空孔にビス１６をねじ込むこと
により、そのリアキャビネット３をフロントキャビネット２に止着する。なお、関連する
技術として特許文献１に記載したものがある。
【特許文献１】特開２００３−４３９４４号公報
【発明の開示】
【発明が解決しようとする課題】
【００１０】
上記従来の構成では、図７に示すように、スイッチ部材４の両ブラケット４ｃを固定す
るために、２つのビス１６を右回転でねじ込むことから、該各ビス１６の頭部によりスイ
ッチ部材４が当初の位置から右方向ａに押されてわずかであるが位置ずれし、この状態で
、フロントキャビネット２にリアキャビネット３を当接させると、該リアキャビネット３
の凹部３ａとスイッチ部材本体４ａとの間の左右の隙間ｔ１，ｔ２が不揃いとなり、外観
上の体裁が悪くなる。
【００１１】
また、フロントキャビネット２にスイッチ部材４及びリアキャビネット３を止着するの
に３本のビス１６を用いており、そのビス１６の本数が多くてコストアップになると共に
、その各ビス１６をねじ込むのに手間と時間とがかかって、作業能率が低い。
【００１２】
本発明は、上記従来の欠点に鑑み、スイッチ部材を能率良く精密に位置決め固定するこ
とができるようにした薄型表示装置を提供することを目的としている。
【課題を解決するための手段】
【００１３】
上記目的を達成するため、請求項１に記載の発明は、表示画面を囲むフロントキャビネ
ットとリアキャビネットとの間に配置したスイッチ部材が、複数のスイッチ部を備えたス
イッチ部材本体と、該スイッチ部材本体の中央からリアキャビネットに向けて突出させた
柱状部と、そのスイッチ部材本体の両側縁から側方に突出させた一対のブラケットとを有
し、該各ブラケットを支えるための一対の脚部がフロントキャビネットに一体突設された
薄型表示装置において、前記各脚部に対向してリアキャビネットに一対の腕部が一体突設
されており、スイッチ部材の各ブラケットを各脚部上に載置し、リアキャビネットをフロ
ントキャビネットに当接させ、各腕部及び各ブラケットを貫通して各脚部にビスをねじ込
むことにより、フロントキャビネットにスイッチ部材及びリアキャビネットが止着されて
いることを特徴としてる。
【００１４】
請求項２に記載の発明は、請求項１に記載の発明において、前記柱状部に対向してリア
キャビネットにガイド筒が一体突設されると共に、該ガイド筒の内周面に周方向所定間隔
をおいて複数のリブが一体突設されており、リアキャビネットをフロントキャビネットに
当接させることにより、ガイド筒を柱状部に遊嵌合させ、その柱状部の外周面に各リブを
当接させるようにしたことを特徴としている。
【００１５】
請求項３に記載の発明は、表示画面を囲むフロントキャビネットとリアキャビネットと
の間に配置したスイッチ部材が、複数のスイッチ部を備えたスイッチ部材本体と、該スイ
ッチ部材本体の中央からリアキャビネットに向けて突出させた柱状部と、そのスイッチ部
材本体の両側縁から側方に突出させた一対のブラケットとを有し、該各ブラケットを支え
るための一対の脚部がフロントキャビネットに一体突設された薄型表示装置において、前
記柱状部に対向してリアキャビネットにガイド筒が一体突設されると共に、該ガイド筒の
内周面に周方向所定間隔をおいて複数のリブが一体突設され、前記各脚部に対向してリア
キャビネットに一対の腕部が一体突設されており、スイッチ部材の各ブラケットを各脚部
上に載置し、リアキャビネットをフロントパネルに当接させることにより、ガイド筒を柱
状部に遊嵌合させ、その柱状部の外周面に各リブを当接させ、前記各腕部及び各ブラケッ
トを貫通して各脚部にビスをねじ込むことにより、フロントキャビネットにスイッチ部材
及びリアキャビネットが止着されていることを特徴としている。
【発明の効果】
【００１６】
請求項１に記載の発明によれば、リアキャビネットの各腕部及びスイッチ部材の各ブラ
ケットを貫通してフロントキャビネットの各脚部に２つのビスをねじ込むようになってお
り、その各ビスの頭部がスイッチ部材に直接に接触していないから、従来のように各ビス
の頭部によりスイッチ部材が当初の位置から右方向に押されて位置ずれすることがなく、
そのスイッチ部材を当初の位置に精密に位置決めした状態を維持して、外観上の体裁を良
好に維持することができる。
【００１７】
また、２つのビスでスイッチ部材及びリアキャビネットを共締めで同時にフロントキャ
ビネットに止着するようになっており、ねじ込み作業を能率良く行なうことができる。
【００１８】
請求項２に記載の発明によれば、リアキャビネットをフロントキャビネットに当接させ
るだけで、該リアキャビネットのガイド筒を介して各リブをスイッチ部材の柱状部に当接
させることにより、スイッチ部材の中央部をリアキャビネットに一体的に連結して補強す
ることができ、その補強のために従来のようにビスが不要であるから、その不要となった
分だけ部品点数が少なくなってコストダウンを図ることができると共に、その面倒なビス
のねじ込み操作が不要になった分だけ、作業能率も向上させることができる。
【００１９】
また、既存のスイッチ部材をそのまま利用することができるから、経済的である。
【００２０】
請求項３に記載の発明は、実施の一形態（図１〜図５参照）に対応するものであって、
これによれば、リアキャビネットの各腕部及びスイッチ部材の各ブラケットを貫通してフ
ロントキャビネットの各脚部に２つのビスをねじ込むようになっており、その各ビスの頭
部がスイッチ部材に直接に接触していないから、従来のように各ビスの頭部によりスイッ
チ部材が当初の位置から右方向に押されて位置ずれすることがなく、そのスイッチ部材を
当初の位置に精密に位置決めした状態を維持して、外観上の体裁を良好に維持することが
できる。
【００２１】
また、２つのビスでスイッチ部材及びリアキャビネットを共締めで同時にフロントキャ
ビネットに止着するようになっており、ねじ込み作業を能率良く行なうことができる。
【００２２】
更に、リアキャビネットをフロントキャビネットに当接させるだけで、該リアキャビネ
ットのガイド筒を介して各リブをスイッチ部材の柱状部に当接させることにより、スイッ
チ部材の中央部をリアキャビネットに一体的に連結して補強することができ、その補強の
ために従来のようにビスが不要であるから、その不要となった分だけ部品点数が少なくな
ってコストダウンを図ることができると共に、その面倒なビスのねじ込み操作が不要にな
った分だけ、作業能率も向上させることができる。
【００２３】
しかも、既存のスイッチ部材をそのまま利用することができるから、経済的である。
【発明を実施するための最良の形態】
【００２４】
図１〜図５は本発明の実施の一形態である薄型表示装置を示すものであって、図１は同
要部の平面図、図２は同要部の一部切欠き平面図、図３（ａ）は図２のＡ−Ａ矢視図、図
３（ｂ）は図３（ａ）のＣ−Ｃ矢視図、図４は図２のＢ−Ｂ矢視図、図５は同要部の分解
斜視図である。
【００２５】
図２及び図３に示すように、スイッチ部材４の柱状部４ｂに対向してリアキャビネット
３の棚部３ｂの裏面にガイド筒１８が一体突設されると共に、該ガイド筒１８の内周面に
周方向所定間隔をおいて複数のリブ１９が一体突設されており、ガイド筒１８を柱状部４
ｂに遊嵌合させることにより、柱状部４ｂの外周面に各リブ１９が当接される。
【００２６】
図２及び図４に示すように、フロントキャビネット２の各脚部１５に対向してリアキャ
ビネット３の棚部３ｂに一対の有底筒状腕部２１が一体突設され、該各腕部２１と各脚部
１５とで環状突起部１３，１４及び各ブラケット４ｃを介してスイッチ部材４が挟持され
、その各腕部２１の底板部にビス挿通孔２２が貫設されている。上記以外の構成は図６〜
図１０に示す構成とほぼ同じであるから、同一部分に同一符号を付してその説明を省略す
る。
【００２７】
組立手順を説明すると、図２に示すように、スイッチ部材４の各ブラケット４ｃを各脚
部１５上に載置し、リアキャビネット３をフロントキャビネット２に当接させることによ
り、ガイド筒１８を柱状部４ｂに遊嵌合させ、その柱状部４ｂの外周面に各リブ１９を当
接させ、前記各腕部２１及び各ブラケット４ｃのビス挿通孔２２，１２を通って各脚部１
５の中空孔にビス１６をねじ込むことにより、フロントキャビネット２にスイッチ部材４
及びリブ１９を止着する。
【００２８】
上記構成によれば、リアキャビネット３の各腕部２１及び各スイッチ部材４の各ブラケ
ット４ｃを貫通してフロントキャビネット２の各脚部１５に２つのビス１６をねじ込むよ
うになっており、その各ビス１６の頭部がスイッチ部材４に直接に接触していないから、
従来のように各ビス１６の頭部によりスイッチ部材４が当初の位置から右方向ａに押され
て位置ずれすることがなく（図７参照）、図１に示すように、スイッチ部材４を当初の位
置に精密に位置決めした状態を維持して、スイッチ部材本体４ａと凹部３ａとの間の左右
の隙間ｔ１，ｔ２が均等になって揃っており、外観上の体裁を良好に維持することができ
る。
【００２９】
また、２つのビス１６でスイッチ部材４及びリアキャビネット３を共締めで同時にフロ
ントキャビネット２に止着するようになっており、ねじ込み作業を能率良く行なうことが
できる。
【００３０】
更に、リアキャビネット３をフロントキャビネット２に当接させるだけで、該リアキャ
ビネット３のガイド筒１８を介して各リブ１９をスイッチ部材４の柱状部４ｂに当接させ
ることにより、スイッチ部材４の中央部をリアキャビネット３に一体的に連結して補強す
ることができ、その補強のために従来のようにビス１６が不要であるから、その不要とな
った分だけ部品点数が少なくなってコストダウンを図ることができると共に、その面倒な
ビス１６のねじ込み操作が不要になった分だけ、作業能率も向上させることができる。
【００３１】
しかも、既存のスイッチ部材４をそのまま利用することができるから、経済的である。
【００３２】
上記実施の形態では、スイッチ部材４がフロントキャビネット２の上面とリアキャビネ
ット３の上面との間に配置されている場合を例にあげて説明したが、これに限定されるわ
けではなく、そのスイッチ部材４がフロントキャビネット２の側面とリアキャビネット３
の側面との間に配置されている場合にも適用される。
【図面の簡単な説明】
【００３３】
【図１】本発明の実施の一形態である薄型表示装置を示す要部の平面図である。
【図２】同要部の一部切欠き平面図である。
【図３】（ａ）は図２のＡ−Ａ矢視図、（ｂ）は図３（ａ）のＣ−Ｃ矢視図である。
【図４】図２のＢ−Ｂ矢視図である。
【図５】同要部の分解斜視図である。
【図６】薄型表示装置を示す斜視図である。
【図７】従来例の要部を示す平面図である。
【図８】図７のＤ−Ｄ矢視図である。
【図９】図７のＥ−Ｅ矢視図である。
【図１０】同要部の分解斜視図である。
【符号の説明】
【００３４】
１          表示画面
２          フロントキャビネット
３          リアキャビネット
４          スイッチ部材
４ａ        スイッチ部材本体
４ｂ        スイッチ部材の柱状部
４ｃ        スイッチ部材のブラケット
５          スイッチ部
１５        脚部
１６        ビス
１８        ガイド筒
１９        リブ
２１        腕部
【図１】
2008281610.tif 000003
【図２】
2008281610.tif 000004
【図３】
2008281610.tif 000005
【図４】
2008281610.tif 000006
【図５】
2008281610.tif 000007
【図６】
2008281610.tif 000008
【図７】
2008281610.tif 000009
【図８】
2008281610.tif 000010
【図９】
2008281610.tif 000011
【図１０】
2008281610.tif 000012